(57)【特許請求の範囲】
【請求項１】
患者に血液浄化治療を施すための血液浄化器が取り付けられる複数の血液浄化手段と、
該血液浄化手段のそれぞれに透析液を供給可能な透析液供給手段と、
前記透析液供給手段から各血液浄化手段に透析液を流通させて供給するための供給流路と、
を具備した血液浄化システムにおいて、
前記供給流路の途中には、当該供給流路を流通する透析液に特定の成分を注入し得る注入手段が接続され、且つ、血液浄化治療中、前記供給流路を流通する透析液に含有される個別成分の濃度を経時的に計測し得る濃度計測手段を具備するとともに、前記濃度計測手段は、前記供給流路における前記注入手段の上流側及び下流側にそれぞれ接続され、各濃度計測手段で計測された個別成分の濃度を比較可能とされたことを特徴とする血液浄化システム。
【請求項２】
前記供給流路が複数に分岐し、その分岐したそれぞれの供給流路に前記血液浄化手段が配設されるとともに、分岐した任意の供給流路に前記注入手段を接続させたことを特徴とする請求項１記載の血液浄化システム。
【請求項３】
前記供給流路の所定部位であって上流側及び下流側にそれぞれ前記血液浄化手段が配設された部位に前記注入手段を接続させたことを特徴とする請求項１又は請求項２記載の血液浄化システム。
【請求項４】
前記注入手段は、前記特定の成分を含む薬剤を収容する収容手段と、該収容手段と前記供給流路とを接続する接続流路と、該接続流路に配設されて前記収容手段の特定の成分を含む薬剤を前記供給流路に送り込むための注入ポンプとを有することを特徴とする請求項１〜３の何れか１つに記載の血液浄化システム。
【発明の詳細な説明】
【技術分野】
【０００１】
本発明は、患者に血液浄化治療を施すための血液浄化器が取り付けられる複数の血液浄化手段と、該血液浄化手段のそれぞれに透析液を供給可能な透析液供給手段とを具備した血液浄化システムに関するものである。
【背景技術】
【０００２】
一般に、血液浄化システムは、病院等医療現場における機械室に透析液供給手段を設置しておき、透析室（治療室）に血液浄化手段（透析用監視装置）を設置するとともに、これら透析液供給手段と血液浄化手段とを配管で連結させて構成されている。透析液供給手段は、所定濃度の透析液を作製するとともに、血液浄化手段は、患者に透析治療を施すための血液浄化器（ダイアライザ）を有しつつ複数設置され、透析液供給手段で作製された透析液を配管を介して導入し、血液浄化器に供給することにより血液浄化治療（透析治療）が行われるようになっている。
【０００３】
すなわち、機械室に設置された透析液供給手段から透析室に設置された複数の血液浄化手段に分配して透析液を送液し、それぞれの血液浄化手段においてダイアライザに透析液を供給して治療が行われるよう構成されているのである。このように透析液供給手段で作製された透析液を各透析用監視装置に供給する血液浄化システムは、通常、「透析治療用セントラルシステム」と称されるもので、例えば特許文献１にて開示されたものが挙げられる。かかる従来の血液浄化システムによれば、透析液供給手段で一括して作製された透析液を各血液浄化手段における患者に分配して血液浄化治療が行われるので、多人数に対して効率的に血液浄化治療を行わせることができる。
【先行技術文献】
【特許文献】
【０００４】
【特許文献１】特開２０１２−２４９７５０号公報
【発明の概要】
【発明が解決しようとする課題】
【０００５】
しかしながら、上記従来の血液浄化システムにおいては、透析液供給手段で一括して作製された透析液を各血液浄化手段に分配して血液浄化治療が行われるため、供給される透析液は同一の組成から成るものとされ、患者毎に異なる状態（患者の容態や治療方法等）に対応した透析液を供給することが困難であった。なお、患者一人に対して透析液が供給される個人用の血液浄化手段も種々提案されているが、このような個人用の血液浄化手段では、多人数の患者に効率よく透析液を供給することが困難となってしまう。
【０００６】
本発明は、このような事情に鑑みてなされたもので、多人数の患者に効率よく且つ患者毎に異なる状態に対応させた透析液を供給することができる血液浄化システムを提供することにある。
【課題を解決するための手段】
【０００７】
請求項１記載の発明は、患者に血液浄化治療を施すための血液浄化器が取り付けられる複数の血液浄化手段と、該血液浄化手段のそれぞれに透析液を供給可能な透析液供給手段と、前記透析液供給手段から各血液浄化手段に透析液を流通させて供給するための供給流路とを具備した血液浄化システムにおいて、前記供給流路の途中には、当該供給流路を流通する透析液に特定の成分を注入し得る注入手段が接続され、且つ、血液浄化治療中、前記供給流路を流通する透析液に含有される個別成分の濃度を経時的に計測し得る濃度計測手段を具備するとともに、前記濃度計測手段は、前記供給流路における前記注入手段の上流側及び下流側にそれぞれ接続され、各濃度計測手段で計測された個別成分の濃度を比較可能とされたことを特徴とする。
【０００８】
請求項２記載の発明は、請求項１記載の血液浄化システムにおいて、前記供給流路が複数に分岐し、その分岐したそれぞれの供給流路に前記血液浄化手段が配設されるとともに、分岐した任意の供給流路に前記注入手段を接続させたことを特徴とする。
【０００９】
請求項３記載の発明は、請求項１又は請求項２記載の血液浄化システムにおいて、前記供給流路の所定部位であって上流側及び下流側にそれぞれ前記血液浄化手段が配設された部位に前記注入手段を接続させたことを特徴とする。
【００１２】
請求項４記載の発明は、請求項１〜３の何れか１つに記載の血液浄化システムにおいて、前記注入手段は、前記特定の成分を含む薬剤を収容する収容手段と、該収容手段と前記供給流路とを接続する接続流路と、該接続流路に配設されて前記収容手段の特定の成分を含む薬剤を前記供給流路に送り込むための注入ポンプとを有することを特徴とする。
【発明の効果】
【００１３】
請求項１の発明によれば、供給流路の途中には、当該供給流路を流通する透析液に特定の成分を注入し得る注入手段が接続されたので、特定の成分が注入されない透析液及び特定の成分が注入された透析液をそれぞれ供給流路にて流通させることができ、多人数の患者に効率よく且つ患者毎に異なる状態に対応させた透析液を供給することができる。
また、血液浄化治療中、供給流路を流通する透析液に含有される個別成分の濃度を経時的に計測し得る濃度計測手段を具備したので、血液浄化治療中において透析液供給手段から血液浄化手段に供給される透析液の濃度を精度よく且つ自動的に計測でき、透析液の濃度の適否をより正確に判定させることができる。
さらに、濃度計測手段は、供給流路における注入手段の上流側及び下流側にそれぞれ接続され、各濃度計測手段で計測された個別成分の濃度を比較可能とされたので、注入手段にて特定の成分を適正に注入したか否かの判定を正確に行わせることができる。
【００１４】
請求項２の発明によれば、供給流路が複数に分岐し、その分岐したそれぞれの供給流路に血液浄化手段が配設されるとともに、分岐した任意の供給流路に前記注入手段を接続させたので、注入手段が接続された供給流路には特定の成分が注入された透析液を流通させ、注入手段が接続されない供給流路には特定の成分が注入されない透析液を流通させることができる。
【００１５】
請求項３の発明によれば、供給流路の所定部位であって上流側及び下流側にそれぞれ血液浄化手段が配設された部位に注入手段を接続させたので、注入手段が接続された部位より下流には特定の成分が注入された透析液を流通させ、注入手段が接続された部位より上流には特定の成分が注入されない透析液を流通させることができる。
【００１８】
請求項４の発明によれば、注入手段は、特定の成分を含む薬剤を収容する収容手段と、該収容手段と供給流路とを接続する接続流路と、該接続流路に配設されて収容手段の特定の成分を含む薬剤を供給流路に送り込むための注入ポンプとを有するので、供給流路を流通する透析液に対してより確実且つ円滑に特定の成分を注入させることができる。
【図面の簡単な説明】
【００１９】
【図１】本発明の実施形態に係る血液浄化システムを示す全体模式図
【図２】同血液浄化システムにおける血液浄化手段の構成を示す模式図
【図３】同血液浄化システムにおける濃度計測手段を示す模式図
【図４】同血液浄化システムにおける他の態様の濃度計測手段を示す模式図
【図５】同血液浄化システムの制御内容を示すフローチャート
【発明を実施するための形態】
【００２０】
以下、本発明の実施形態について図面を参照しながら具体的に説明する。
本実施形態に係る血液浄化システムは、透析液原液から所定濃度の透析液を作製するとともに、その透析液を複数の血液浄化手段に供給するためのものであり、図１に示すように、病院等医療現場における透析室（治療室）に設置された複数の血液浄化手段１と、当該医療現場における機械室に設置された透析液供給装置２、各血液浄化手段１と透析液供給手段２とを連結する供給流路Ｈ、Ｈ１、Ｈ２と、注入手段Ｂ１、Ｂ２と、濃度計測手段（Ｍ１〜Ｍ３）とから主に構成される。
【００２１】
血液浄化手段１は、監視装置と称されるもので、患者に血液浄化治療（血液透析治療）を施すためのダイアライザ３（血液浄化器）が取り付けられ、透析液供給装置２から供給された透析液を当該ダイアライザ３に供給するためのもので、供給流路Ｈ１、Ｈ２に沿って複数設置されている。かかる血液浄化手段１は、血液透析治療や他の制御内容（洗浄又は消毒）の指示及び所定の表示を行わせ得るタッチパネルが配設されている。
【００２２】
より具体的には、透析室に設置された複数の血液浄化手段１の各々は、図２に示すように、透析液供給装置２から延設された供給流路Ｈ１又は供給流路Ｈ２から配管Ｌ１が引き込まれるとともに、図示しない排液手段に接続された配管Ｌ２を具備し、これら配管Ｌ１、Ｌ２に跨って複式ポンプ８が配設されて構成されている。このうち血液浄化手段１内における配管Ｌ１には、当該配管Ｌ１を流れる透析液等の電導度を測定する電導度センサ５や当該液体の給液圧を検出する液圧検出センサ６等が配設されている。なお、同図中符号７は、制御手段を示しており、当該制御手段７により血液浄化治療を行わせるための種々制御が行われる。
【００２３】
また、複式ポンプ８からは、配管Ｌ１と連通した透析液導入ラインＬ４と、配管Ｌ２と連通した透析液排出ラインＬ５が延設されており、カプラＣを介して当該透析液導入ラインＬ４の先端をダイアライザ３の透析液導入口３ａに接続し得るとともに、カプラＣを介して当該透析液排出ラインＬ５の先端をダイアライザ３の透析液排出口３ｂに接続し得るよう構成されている。このように、各血液浄化手段１には、それぞれ患者に応じたダイアライザ３が取り付けられるようになっており、当該ダイアライザ３には、患者の血液を体外循環させる血液回路４が接続されることとなる。
【００２４】
複式ポンプ８のポンプ室は、図示しない単一のプランジャにより、配管Ｌ１に接続された送液側ポンプ室と、配管Ｌ２に接続された排出側ポンプ室とに隔成されており、当該プランジャが往復動することにより、送液側ポンプ室に送られた透析液又は洗浄液をダイアライザ３に供給するとともに、ダイアライザ３内の透析液を排出側ポンプ室に吸入するよう構成されている。さらに、血液浄化手段１内には、複式ポンプ８をバイパスしつつ配管Ｌ２と透析液排出ラインＬ５とを連通する配管Ｌ３が形成されており、この配管Ｌ３の途中に除水ポンプ９が配設されている。かかる除水ポンプ９を駆動させることにより、ダイアライザ３内を流れる患者の血液に対して除水を行わせることが可能とされる。
【００２５】
なお、複式ポンプ８に代えて、所謂チャンバ形式のものとしてもよいとともに、電導度センサ５や液圧検出センサ６等のセンサ類は、任意のものを配設してもよく若しくは他の汎用的なものを加えるようにしてもよい。さらに、本実施形態においては、当該センサ類を配管Ｌ１に配設するようにしているが、他の配管（例えば配管Ｌ４）に配設するものとしてもよい。例えば電導度センサ５や液圧検出センサ６等のセンサ類を配管Ｌ１又は配管Ｌ４の何れか一方に配設させたもの或いは両方に配設させたものとしてもよい。
【００２６】
透析液供給手段２は、例えば水処理装置（不図示）で得られた清浄水及び溶解装置（不図示）で作製された透析液原液を用いて所定濃度の透析液を作製し得るとともに、血液浄化手段１のそれぞれに作製した透析液を供給可能なものである。すなわち、透析液供給手段２は、供給流路Ｈ、Ｈ１、Ｈ２を介して複数の血液浄化手段１のそれぞれと接続されており、かかる供給流路Ｈを介して血液浄化手段１のそれぞれに透析液、洗浄水及び消毒液等の所望の液体を供給し得るよう構成されているのである。なお、本実施形態で適用される透析用原液は、粉末状の重炭酸ナトリウムを含まない薬剤（Ａ剤）を清浄水で溶解することによりＡ原液を、粉末状の重炭酸ナトリウムから成る薬剤（Ｂ剤）を清浄水で溶解することによりＢ原液を得るものとされているが、液体として提供されるＡ原液、Ｂ原液をタンク等に収容してそのまま使用するものであってもよい。すなわち、透析液供給手段２は、上記の如く得られたＡ原液、Ｂ原液と清浄水とを混合、希釈して透析液を得ることができ、その得られた透析液を血液浄化手段１のそれぞれに供給可能とされているのである。
【００２７】
さらに、本実施形態に係る透析液供給手段２は、後で詳述する濃度計測手段（Ｍ１〜Ｍ３）と電気的に接続されており、これら濃度計測手段（Ｍ１〜Ｍ３）の計測値に基づいて供給流路Ｈを流通する透析液の個別成分の濃度が適正か否かを判定する判定手段１０と、判定手段１０による判定の結果、透析液の個別成分の濃度が適正範囲を超える場合、表示による報知や音の出力による報知等を行う報知手段１１とを有している。
【００２８】
供給流路Ｈ、Ｈ１、Ｈ２は、透析液供給手段２から各血液浄化手段１に透析液（洗浄液及び消毒液も含む）を流通させて供給するための配管から成る。本実施形態においては、透析液供給手段２から供給流路Ｈが延設し、分岐点Ｇにて複数（２つ）の供給流路Ｈ１、Ｈ２に分岐するものとされており、その分岐したそれぞれの供給流路Ｈ１、Ｈ２に複数の血液浄化手段１が配設されるとともに、分岐した任意の供給流路に注入手段（Ｂ１、Ｂ２）が接続されている。
【００２９】
供給流路Ｈ１は、循環加温ユニットＹを介して無端状に形成し、透析液を循環させつつ各血液浄化手段１に供給するよう構成されている。かかる循環加温ユニットＹは、循環する透析液を加温しつつ循環させるためのもので、本実施形態においては、循環する透析液を外部に排出するための排出管Ｈｄが延設されている。また、供給流路Ｈ１における分岐点Ｇと循環加温ユニットＹとの間は、１本の循環しない流路が延設されており、当該循環加温ユニットＹから下流側が循環流路とされて複数の血液浄化手段１が配設されている。
【００３０】
供給流路Ｈ２は、分岐点Ｇから延設された１本の循環しない流路から成るもので、終端に排液弁Ｖが接続されており、当該排液弁Ｖを開いた状態とすることで、透析液送液開始時に供給流路Ｈ２に残った水を押し出して排液し、供給流路Ｈ２内を素早く透析液に置換する、或いは透析終了後の洗浄消毒の際に、供給流路Ｈ２に残った透析液や消毒液を素早く押し出して排出するようになっている。なお、供給流路Ｈ２の途中を更に分岐させ、或いは供給流路Ｈ２を循環流路として、その分岐した供給流路のそれぞれ或いは循環した供給流路に血液浄化手段１を配設するようにしてもよい。また、分岐点Ｇから３つ以上の供給流路を分岐させるようにし、それぞれ分岐した供給流路に血液浄化手段１を配設するようにしてもよい。
【００３１】
ここで、本実施形態に係る供給流路Ｈ１及び供給流路Ｈ２の途中には、当該供給流路Ｈ１、Ｈ２を流通する透析液に特定の成分を注入し得る注入手段Ｂ１、Ｂ２が接続されている。注入手段Ｂ１は、供給流路Ｈ１における分岐点Ｇと循環加温ユニットＹとの間の部位に接続されるとともに、注入手段Ｂ２は、供給流路Ｈ２の所定部位であって上流側及び下流側にそれぞれ血液浄化手段１が配設された部位に接続されている。
【００３２】
これら注入手段Ｂ１、Ｂ２は、特定の成分を含む薬剤を収容する収容手段Ｄ１、Ｄ２と、収容手段Ｄ１、Ｄ２と供給流路Ｈ１、Ｈ２とを接続する接続流路ａ、ｂと、接続流路ａ、ｂに配設されて収容手段Ｄ１、Ｄ２の特定の成分を含む薬剤を供給流路Ｈ１、Ｈ２に送り込むための注入ポンプＰ１、Ｐ２と、供給流路Ｈ１、Ｈ２を流通する透析液と特定の成分を含む薬剤とを攪拌、混合するためのミキシングチャンバｍ１、ｍ２とを有して構成されている。
【００３３】
収容手段Ｄ１、Ｄ２に収容される薬剤は、特定の成分として、例えば塩化ナトリウム（ＮａＣｌ）、塩化カリウム（ＫＣｌ）、塩化カルシウム（ＣａＣｌ２）、炭酸水素ナトリウム（ＮａＨＣＯ３）、ブドウ糖（Ｃ６Ｈ１２Ｏ６）等を含有するもので、単一の成分を含むものの他、複数の成分を含むものであってもよい。また、注入手段Ｂ１で注入される特定の成分と注入手段Ｂ２で注入される特定の成分とは、その種類及び濃度が同一であっても異なるものであってもよい。なお、注入手段Ｂ１、Ｂ２は、自重にて収容手段Ｄ１、Ｄ２内の薬剤を注入するものとしてもよく、その場合、注入ポンプＰ１、Ｐ２に代えて遮断弁を接続するのが好ましい。
【００３４】
しかして、血液浄化治療中、供給流路Ｈ、Ｈ１、Ｈ２にて透析液を流通させるとともに、注入ポンプＰ１、Ｐ２を駆動させることにより、収容手段Ｄ１、Ｄ２内の特定の成分を含む薬剤が供給流路Ｈ１、Ｈ２に注入され、当該透析液と薬剤とがミキシングチャンバｍ１、ｍ２にて攪拌、混合された後、更に下流の血液浄化手段１に供給されることとなる。これにより、収容手段Ｄ１、Ｄ２に任意の特定の成分を含む薬剤を収容させて注入させるようにすれば、例えば低カリウム血症の患者には、特定の成分として塩化カリウム（ＫＣｌ）を注入した透析液を使用し、血圧低下を防止する必要がある患者には、特定の成分として塩化ナトリウム（ＮａＣｌ）を注入した透析液を使用することができる。
【００３５】
さらに、本実施形態に係る供給流路Ｈ、Ｈ１、Ｈ２には、血液浄化治療中、供給流路Ｈ、Ｈ１、Ｈ２を流通する透析液に含有される個別成分の濃度（組成濃度）を経時的に計測し得る濃度計測手段（Ｍ１〜Ｍ３）が接続されている。濃度計測手段Ｍ１は、供給流路Ｈであって分岐点Ｇより上流側（透析液供給手段２と分岐点Ｇとの間）に接続されるとともに、濃度計測手段Ｍ２は、供給流路Ｈ１における循環流路、濃度計測手段Ｍ３は、供給流路Ｈ２における注入手段Ｂ２の下流側の位置にそれぞれ接続されている。
【００３６】
より具体的に説明すると、濃度計測手段Ｍ１（濃度計測手段Ｍ２、Ｍ３も同様）は、図３に示すように、供給流路Ｈを流通する透析液を引込み得る引込み流路ｈ１と、該引込み流路ｈ１で引込まれた透析液を収容しつつ個別成分の濃度を計測し得る濃度計測部Ｎと、引込み流路ｈ１に配設されて濃度計測部Ｎに透析液を送り込むための注入ポンプＰａと、濃度計測部Ｎで個別成分の濃度が計測された後の透析液を外部に排出する排出流路ｈ２とを有している。
【００３７】
濃度計測部Ｎにて計測される個別成分の濃度は、透析液に含有される個別成分の濃度とされ、例えばナトリウム（Ｎａ）、カリウム（Ｋ）、カルシウム（Ｃａ）、炭酸（ＣＯ２）等の濃度が挙げられる。また、濃度計測手段Ｍ１は、供給流路Ｈを流通する透析液に含有される個別成分の濃度に加え、その透析液の浸透圧、ｐＨ、電導度を計測し得るものとしてもよく、その場合、供給流路Ｈを流通する透析液の濃度の適否に加え、浸透圧、ｐＨ及び電導度の適否も判定させることができる。
【００３８】
さらに、濃度計測手段（Ｍ１〜Ｍ３）は、全て同一の個別成分の濃度を計測するよう構成してもよく、それぞれ異なる個別成分の濃度を計測するようにしてもよい。またさらに、本実施形態においては、引込み流路ｈ１に配設されて濃度計測部Ｎに透析液を送り込むための注入ポンプＰａが配設されているが、かかる注入ポンプＰａに代えて、図４に示すように、遮断弁Ｖａを配設するようにしてもよい。また、本実施形態においては、濃度計測部Ｎで個別成分の濃度が計測された後の透析液を外部に排出する排出流路ｈ２が延設されているが、かかる排出流路ｈ２に代えて、濃度計測部Ｎで個別成分の濃度が計測された後の透析液を再び供給流路Ｈに戻す流路としてもよい。
【００３９】
しかして、血液浄化治療中（透析治療中）、注入ポンプＰａを駆動（遮断弁Ｖａを開状態としてもよい）させると、供給流路Ｈを流通する透析液の一部が引込み流路ｈ１に引込まれて濃度計測部Ｎに至り、当該濃度計測部Ｎにて流れが止まった状態で貯留されつつ個別成分の濃度が計測され、計測された後の透析液が排出流路ｈ２を流れて排出されることとなる。かかる動作が血液浄化治療中において連続的又は間欠的に繰り返し行われることにより、供給流路Ｈを流通する透析液に含有される個別成分の濃度を経時的に計測することができる。ここで計測された個別成分の濃度の情報は、透析液供給手段２の判定手段１０に送信され、個別成分の濃度が適正か否か判定される。なお、判定手段１０は必ずしも透析液供給手段２に配設される必要はなく、例えば濃度計測手段（Ｍ１〜Ｍ３）のそれぞれに配設されていてもよく、或いは独立して配設されていてもよい。
【００４０】
さらに、本実施形態においては、血液浄化治療前又は血液浄化治療後、透析液供給手段２から各血液浄化手段１に洗浄液又は消毒液を供給可能とされており、濃度計測手段（Ｍ１〜Ｍ３）は、当該洗浄液又は消毒液に含有される個別成分（例えば塩素（Ｃｌ）等）の濃度を計測し得るよう構成するのが好ましい。この場合、洗浄中又は消毒中において透析液供給手段２から血液浄化手段１に供給される洗浄液又は消毒液の濃度の適否を精度よく判定させることができる。
【００４１】
また、本実施形態に係る濃度計測手段Ｍ１、Ｍ２及び濃度計測手段Ｍ１、Ｍ３は、供給流路Ｈ、Ｈ１、Ｈ２における注入手段Ｂ１、Ｂ２の上流側及び下流側にそれぞれ接続され、各濃度計測手段（Ｍ１〜Ｍ３）で計測された個別成分の濃度を比較可能とされている。これにより、注入手段Ｂ１、Ｂ２にて特定の成分を適正に注入したか否かの判定を正確に行わせることができる。
【００４２】
次に、本実施形態に係る血液浄化システムにおける制御内容の一例について、図５のフローチャートに基づいて説明する。
血液浄化治療（透析治療）が開始されると、透析液供給手段２から供給流路Ｈにて透析液を流通させて各血液浄化手段１に供給しつつ注入手段Ｂ１、Ｂ２によって特定の成分を含んだ薬剤を注入し（Ｓ１）、濃度計測手段（Ｍ１〜Ｍ３）にて供給流路Ｈ、Ｈ１、Ｈ２を流れる透析液の個別成分の濃度が計測される（Ｓ２）。その後、濃度計測手段（Ｍ１〜Ｍ３）の計測値が判定手段１０に送信され、透析液の個別成分の濃度が適正か否か判定される（Ｓ３）。
【００４３】
そして、Ｓ３にて透析液の個別成分の濃度が適正（適正範囲内）であると判定されると、透析液供給手段２による透析液の供給が継続される（Ｓ４）とともに、Ｓ３にて透析液の個別成分の濃度が適正でない（適正範囲外）と判定されると、Ｓ５にて透析液供給手段２に設けられている透析液原液注入ポンプ、又は注入ポンプＰ１、Ｐ２のそれぞれ、あるいはその全てを制御して、供給流路Ｈ、Ｈ１、Ｈ２の透析液の個別成分の濃度が適正となるように駆動し、Ｓ２に戻って以降の制御を再び行う。なお、濃度計測手段（Ｍ１〜Ｍ３）の故障を発見するために、注入手段Ｂ１、Ｂ２による薬剤の注入を行わない状態にて、濃度計測手段（Ｍ１〜Ｍ３）の各計測値を比較する、あるいはそれぞれの濃度計測手段（Ｍ１〜Ｍ３）に図示しない複数系統のセンサを設けて両者を比較するようにしてもよい。
【００４４】
上記実施形態によれば、供給流路Ｈ１、Ｈ２の途中には、当該供給流路Ｈ１、Ｈ２を流通する透析液に特定の成分を注入し得る注入手段Ｂ１、Ｂ２が接続されたので、特定の成分が注入されない透析液及び特定の成分が注入された透析液をそれぞれ供給流路Ｈ１、Ｈ２にて流通させることができ、多人数の患者に効率よく且つ患者毎に異なる状態に対応させた透析液を供給することができる。
【００４５】
また、供給流路Ｈが複数に分岐し、その分岐したそれぞれの供給流路Ｈ１、Ｈ２に血液浄化手段１が配設されるとともに、分岐した任意の供給流路Ｈ１、Ｈ２に注入手段Ｂ１、Ｂ２を接続させたので、注入手段Ｂ１、Ｂ２が接続された供給流路Ｈ、Ｈ１、Ｈ２には特定の成分が注入された透析液を流通させ、注入手段Ｂ１、Ｂ２が接続されない供給流路Ｈ、Ｈ１、Ｈ２には特定の成分が注入されない透析液を流通させることができる。
【００４６】
さらに、供給流路Ｈ２の所定部位であって上流側及び下流側にそれぞれ血液浄化手段１が配設された部位に注入手段Ｂ２を接続させたので、注入手段Ｂ２が接続された部位より下流には特定の成分が注入された透析液を流通させ、注入手段Ｂ２が接続された部位より上流には特定の成分が注入されない透析液を流通させることができる。
【００４７】
またさらに、血液浄化治療中、供給流路Ｈ、Ｈ１、Ｈ２を流通する透析液に含有される個別成分の濃度を経時的に計測し得る濃度計測手段（Ｍ１〜Ｍ３）を具備したので、血液浄化治療中において透析液供給手段２から血液浄化手段１に供給される透析液の濃度を精度よく且つ自動的に計測でき、透析液の濃度の適否をより正確に判定させることができる。
【００４８】
また、本実施形態に係る注入手段Ｂ１、Ｂ２は、特定の成分を含む薬剤を収容する収容手段Ｄ１、Ｄ２と、該収容手段Ｄ１、Ｄ２と供給流路Ｈ１、Ｈ２とを接続する接続流路ａ、ｂと、該接続流路ａ、ｂに配設されて収容手段Ｄ１、Ｄ２の特定の成分を含む薬剤を供給流路Ｈ１、Ｈ２に送り込むための注入ポンプＰ１、Ｐ２とを有するので、供給流路Ｈ１、Ｈ２を流通する透析液に対してより確実且つ円滑に特定の成分を注入させることができる。
【００４９】
以上、本実施形態に係る血液浄化システムついて説明したが、本発明はこれに限定されるものではなく、例えば濃度計測手段を血液浄化手段１内の供給流路（図２における配管Ｌ１又は透析液導入ラインＬ４等）に接続するものとしてもよく、上記とは異なる特定の成分を注入手段Ｂ１、Ｂ２にて注入するもの、或いは上記とは異なる個別成分の濃度を血液浄化治療中、経時的に計測し得るものとしてもよい。また、注入手段Ｂ１、Ｂ２及び濃度計測手段（Ｍ１〜Ｍ３）の配設位置及び配設個数は、他の形態としてもよい。さらに、配管Ｈ、Ｈ１、Ｈ２は、必ずしもこの組み合わせである必要がなく、配管Ｈ１又は配管Ｈ２の何れか一方、また別の組み合わせがあってもよい。なお、本実施形態においては、血液透析治療を行うシステムとされているが、他の血液浄化治療を行う血液浄化システムに適用するようにしてもよい。
【産業上の利用可能性】
【００５０】
供給流路の途中に当該供給流路を流通する透析液に特定の成分を注入し得る注入手段が接続され、且つ、血液浄化治療中、供給流路を流通する透析液に含有される個別成分の濃度を経時的に計測し得る濃度計測手段を具備するとともに、濃度計測手段は、供給流路における注入手段の上流側及び下流側にそれぞれ接続され、各濃度計測手段で計測された個別成分の濃度を比較可能とされた血液浄化システムであれば、他の機能が付加されたもの等にも適用することができる。
【符号の説明】
【００５１】
１  血液浄化手段
２  透析液供給装置
３  ダイアライザ（血液浄化器）
４  血液回路
５  電導度センサ
６  液圧検出センサ
７  制御手段
１０  判定手段
１１  報知手段
Ｂ１、Ｂ２  注入手段
Ｈ  供給流路
Ｍ１〜Ｍ３  濃度計測手段
【図１】
0006512805.tif 000002
【図２】
0006512805.tif 000003
【図３】
0006512805.tif 000004
【図４】
0006512805.tif 000005
【図５】
0006512805.tif 000006